(57)【特許請求の範囲】
【請求項１】
太陽光発電パネルの周縁に対し、 
下地部材と、固定具と周縁カバーとが用いられる太陽光発電パネルの周縁構造であって、
前記固定具は、連結部を有しており、 
該連結部は穴を有し、
前記連結部の一側には、太陽光発電パネルの周縁にかぶせる押さえ部が形成され、 
連結部の他側には、係止部が形成されており、 
前記周縁カバーは、被覆部と側面部とを有しており、 
該側面部には、係合部が形成されており、
該係合部と固定具の係止部とは摺動可能に嵌り合う形状であり、
該係止部は周縁カバーの長さ方向に摺動可能であり、
固定具の係止部と周縁カバーの係合部が嵌め合され、 
固定具の押さえ部が太陽光発電パネルの周縁にかぶせられ、 
固定具と周縁カバーとは、複数箇所の係止部と係合部とで係止し合っており、
止着具で下地部材に取り付けられた固定具が、
前記連結部の穴に挿通された止着具で締め付けられることによって、
下地部材に載置された太陽光発電パネルが押さえ部で押さえられ、
周縁カバーが係止部で押さえられて固定されていることを特徴とする太陽光発電パネルの周縁構造。
【発明の詳細な説明】
【技術分野】
【０００１】
本願は、太陽光発電パネルを屋根材の上に設置する際に、その軒側等の周縁をカバーで覆う場合の構造に関する。
【背景技術】
【０００２】
太陽光発電パネルを屋根材上に設置する場合、カバーを用いて周縁を覆うことが多い。このとき、カバーを押さえながら、細かい止着具を取り扱う作業をしなくて済むように、カバーを止着具で直止めしない方法が用いられている。
たとえば、太陽光発電パネルの周縁押さえを兼ねる金具で、カバーを取り付ける構造がある。また、カバーそのものを太陽光発電パネルの周縁に嵌合する例もある。それらの従来技術について説明する。
【０００３】
図５は、意匠登録第１４０５９２２号の断面図に符号を付したものと、使用状態を示す参考図の一部である。
図５の軒側カバー２には、太陽光発電パネルの軒側を覆う被覆部２６と側面部２３が形成されている。そして、側面部２３の下方から延出されて上向きに曲げられた下係合部２５を有している。
このような軒側カバー２を支持材の上に載置し、支持材から上向きに突出しているボルトに固定具を通す。次に、固定具の上面が軒側カバー２及び太陽光発電パネルの上面を、固定具の脚部が下係合部２５を押さえるように、ナットで締め付ける。
【０００４】
図６は、特開２００４−３２４１８１の図１４の符号を付け替えたものである。
図６の軒側カバー２にも、図３と同じ構成の被覆部２６・側面部２３・下係合部２５が形成されている。
この軒側カバー２を固定する押さえ具９は、倒コ字状をしている。そして、止着具Ｓを用い、押さえ具９の下端縁で、下係合部２５と太陽光発電パネルＴとを押圧し固定している。
このように、図５の固定具と図６の押さえ具９とは、ボルトやナットといった止着具Ｓで締め付けることにより、それぞれの軒側カバー２と太陽光発電パネルＴの両方を固定することができる。
【０００５】
図７は、特開２００５−７９４５９の図６（ａ）（ｂ）と図９である。特開２００５−７９４５９は段葺きの軒側辺の構造に関するが、以下のように記載されている。
「カバー２０を太陽電池モジュールの前枠１２の壁面１２ｂに取り付けるには、まずカバー２０の突起部２０ａを前枠１２の溝２１ｂに差し込んで上列突出部２１の先端２１ａに引っ掛ける。そして、カバー２０を矢印方向Ａに回転移動させて、カバー２０の桟部２０ｂの先端を前枠１２の下列突出部２２の先端２２ａに押し付けて、下列突出部２２の先端２２ａをカバー２０の桟部２０ｂの突起部２０ｃと爪部２０ｄ間に嵌合させる。」
【先行技術文献】
【特許文献】
【０００６】
【特許文献１】意匠登録第１４０５９２２号
【特許文献２】特開２００４−３２４１８１
【特許文献３】特開２００５−７９４５９
【発明の概要】
【発明が解決しようとする課題】
【０００７】
図５に示したものは、軒側カバー２を取り付ける際に、固定具で押さえるまで、レール上に仮置きした軒側カバー２を、片手で押さえておく必要があった。
また、軒側カバー２に対して、棟方向または軒下方向に向けて回転するような力が加わった場合には、強度に不安があった。
それは、固定具の上面が、軒側カバー２の上面に対して、面接触によって上から押圧しているにすぎないからである。
【０００８】
図６の軒側カバー２も、図５同様に、軒側カバー２を取り付ける際に、押さえ具９で押さえるまで、仮置きした軒側カバー２を、片手で押さえておく必要があった。
図６の軒側カバー２は、押さえ具９で下係合部２５だけを押さえている。このため、たとえば、軒側カバー２の側面部２３に積雪荷重がかかった場合には、下係合部２５が押圧されている箇所を支点として、軒側カバー２が軒下に向かってころぶようになって変形する可能性があった。
軒側カバー２の底面に、太陽光発電パネルＴの下側を通って棟側から滑ってくる雪によって持ち上げられるような荷重がかかった場合にも、下係合部２５が支点となって、軒側カバー２が変形する可能性があった。
【０００９】
図７のカバー２０は、前枠１２に嵌合させることで取り付ける。このため、特殊な前枠１２を必要とする。前枠１２に突出部２１・２２がない場合には、対応できなかった。
また、取り付けたカバー２０を外して付け直す場合には、下端のわずかなすきまから差し込んだ工具で、下段側の太陽電池モジュールまたは瓦３３を破損する恐れがあった。さらに、外したときに、爪部２０ｄや前枠１２の先端２２ａが欠けてしまって付けられない可能性さえあった。
【００１０】
本願は、施工性がよく、強度も十分な太陽光発電パネルの周縁構造を提供する。
太陽光発電パネルの軒側等の周縁を施工する際、あらかじめ固定具と周縁カバーとを組み合わせておくことで、施工性のよい周縁構造とすることを目的とする。
しかも、固定具と周縁カバーとが、複数の係止部と係合部とで係止し合っていることで、強度の得られる周縁構造とする。
【課題を解決するための手段】
【００１１】
本願の太陽光発電パネルの周縁構造は、太陽光発電パネルの軒側等の周縁に対して、次のような固定具と周縁カバーとを用いる。
固定具は、連結部を有しており、連結部の一側には、太陽光発電パネルの周縁にかぶせる押さえ部が形成されている。
連結部の他側には、係止部が形成されている。この係止部は、周縁カバーの係合部と嵌り合う形状をしている。
周縁カバーは、被覆部と側面部とを有している。側面部には、係合部が形成されている。その係合部は、固定具の係止部と摺動可能に嵌り合う形状をしている。
嵌り合う形状は、係合部と係止部を組み合わせておくことができ、止着具で固定具を締め付けて下地部材に固定する際に、周縁カバーを押さえなくて済む形状であればよい。
また、固定具の係止部は、周縁カバーの長さ方向に摺動可能に組み合わせられる。      さらに、固定具の係止部と周縁カバーの係合部が嵌め合わされ、太陽光発電パネルの周縁に押さえ部がかぶせられる。
そして、固定具が、止着具を用いて、下地部材に取り付けられる。その固定具によって、周縁カバーが固定されたときに、固定具と周縁カバーとは、複数箇所の係止部と係合部とで係止し合っていることを特徴とする太陽光発電パネルの周縁構造である。
たとえば、連結部から上向きに貫入されたボルトがナットで締め付けられて、太陽光発電パネルの支持材等の下地部材に固定される。                                      
【発明の効果】
【００１２】
まず、施工性に関する効果について説明する。本願の周縁カバーは、複数の係合部を有している。そして、複数の係止部を有する固定具と嵌り合う形状をしている。そして、係合部のいずれかの箇所と、係止部のいずれかの箇所とが、嵌り合う。
このため、あらかじめ周縁カバーに固定具の係止部を組み合わせておくことができる。従って、周縁カバーを取り付ける際に、下地部材から落ちないように周縁カバーを押さえておく必要がない。
また、周縁カバーに組み合わせた固定具は、周縁カバーの長さ方向に沿って係止部を摺動させることができる。このため、固定具だけを移動させて、容易に位置決めすることができる。引いては、外して位置を調整して付けることも容易である。
さらに、本願の固定具は、強度を保ちながら、太陽光発電パネルを押さえる機能と、周縁カバーを固定する機能とを発揮することができる。
本願の周縁カバーは、複数の係合部を有している。そして、固定具にも、複数の係止部が形成されている。固定具によって、複数の箇所で周縁カバーと固定具とが係止し合うので、強度の高い周縁構造を提供できる。
周縁カバーに対して、鉛直方向の上または下に動こうとするような力が加わった場合に、固定具で係止することができる。それに加えて、周縁カバーが回転しようとするような力が加わった場合にも、固定具で係止することができる。
【図面の簡単な説明】
【００１３】
【図１】本願の太陽光発電パネルの周縁構造の実施例を示す説明図である。
【図２】本願の太陽光発電パネルの周縁構造に用いる部材の実施例を示す説明図である。
【図３】（ア）（イ）（ウ）は、本願の太陽光発電パネルの周縁構造の他の実施例を示す説明図である。
【図４】（ア）（イ）（ウ）は、本願の太陽光発電パネルの周縁構造のさらに他の実施例を示す説明図である。
【図５】従来技術を示す説明図である。
【図６】従来技術を示す説明図である。
【図７】従来技術を示す説明図である。
【実施例１】
【００１４】
本願の太陽光発電パネルの周縁構造について、まず、図１と図２により説明する。
図１は、本願の太陽光発電パネルの周縁構造の実施例を示す説明図であり、側面から見た施工状態を示している。図２は、本願の太陽光発電パネルの周縁構造に用いる各部材の実施例の説明図である。
【００１５】
図１と図２は、横葺き屋根材（図示せず）に取り付け金具４を固定し、その取り付け金具４に、台座５を介して支持材３を取り付け、支持材３に太陽光発電パネルＴを設置した場合の実施例を示している。
横葺き屋根材に固定する取り付け金具４は、固定ピース４１と差し込みピース４２を止着具Ｓで組み合わせたものであり、固定ピース４１と差し込みピース４２とで、横葺き屋根材を挟み込んで固定されている。
そして、その取り付け金具４の上に、太陽光発電パネルＴの下地部材である支持材３が固定されている。支持材３は、上方に開口する略ハット形をしており、底面部３９と載置部３８・３８を有している。
このような支持材３が、所定の間隔で桁行き方向に配置されており、支持材３の載置部３８・３８に太陽光発電パネルＴが載置される。
本実施例では、支持材３から上向きに貫入されたボルトＳ１に位置決め金具６が通されているので、その側面に太陽光発電パネルＴの側面を当てている。
【００１６】
次に、本願の太陽光発電パネルＴの周縁に用いる部材について説明する。図１と図２では、固定具１と、周縁カバーである軒側カバー２とを用いている。
このように、それらは一体化されているものではない。固定具の形状を、太陽光発電パネルの枠体の形状に合わせることで、さまざまな太陽光発電パネルの周縁に対応することができる。
一体化されていた方が部品点数は減るが、止着具のための長穴が必要となって異なるピッチに対応しにくくなり、穴をあける場合には工程が増えてしまう。
固定具１は、穴が設けられた連結部１３を有しており、連結部１３の一側は立ち上げられて立面部１０となり、立面部１０が外側方向に延出されて押さえ部１１が形成されている。
連結部１３の他側は倒Ｔ字状となっていて、連結部１３から上方向に延出されて上係止部１４が形成され、連結部１３から下方向に延出されて下係止部１５が形成されている。
本実施例の固定具１は、このように、略Ｚ字状と倒Ｔ字状の組み合わせによる鈎形になっている。各部位が略直角で形成されているので、固定具１自体も強度が高い。
【００１７】
前述の固定具１と組み合わせる軒側カバー２は、被覆部２６と、側面部２３とを有している。本実施例の場合には、側面部２３と、被覆部２６と、被覆部２６の裏面側から略水平に延出された面とで、略三角形の断面となっている。
また、本実施例の場合には、側面部２３は固定具１の側面と平行に形成されている。それは、固定具１の側面と面接触することができれば、より強度が得られるからである。
その側面部２３には、下向きに折り曲げられて、固定具１の上係止部１４と組み合わせられる上係合部２４が形成されている。また、固定具１の下係止部１５と組み合わせられる下係合部２５が形成されている。
そして、軒側カバー２の上係合部２４に固定具１の上係止部１４がはめられ、軒側カバー２の下係合部２５に固定具１の下係止部１５がはめられる。
図１の通り、本実施例の上係合部２４は、側面部２３の途中から折り曲げられて形成されている。それは、押圧部位と力がかかる部位とを、なるべく近くするためである。
【００１８】
本実施例の場合には、上係合部２４と下係合部２５の両方が折り曲げられている。このため、固定具１の上係止部１４と下係止部１５の両方を引っ掛けることができる。上係合部２４と下係合部２５によって固定具１が組み合わせられるので、軒側カバー２の長さ方向（横方向）端部から固定具１を挿入したあとは外れにくい。また、上係合部２４と側面部２３と下係合部２５による溝の中で、固定具１をスライドさせることができる。
しかし、下係合部２５を上向きに折り曲げない例も考えられる。この場合、上係合部２４が下向きに折り曲げてあれば、上係止部１４を引っ掛けておくことができ、あらかじめ軒側カバー２と固定具１とを組み合わせられる。また、固定具１を摺動させることもできる。
【００１９】
これまで述べた固定具１と軒側カバー２を用いて、太陽光発電パネルＴの周縁を納める方法を説明する。
まず、軒側カバー２の長さ方向（横方向）端部から、固定具１を挿入する。このとき、軒側カバー２の上係合部２４と下係合部２５とに、固定具１の上係止部１４と下係止部１５とを組み合わせる。
図１の通り、位置決め金具６に太陽光発電パネルＴが当てられているので、位置決め金具６の上面から突出しているボルトＳ１に、固定具１の連結部１３の穴を通す。次に、固定具１をナットＳ２で締め付ける。
固定具１は、スライドさせることができるので、支持材３・位置決め金具６から突出しているボルトに対して、適切な位置に容易に合わせることができる。
【００２０】
こうして固定具１の押さえ部１１を太陽光発電パネルＴの周縁にかぶせ、止着具Ｓで固定具１が固定されたとき、押さえ部１１が太陽光発電パネルＴの周縁を押圧している。また、下係止部１５が、軒側カバー２の下係合部２５を押圧している。
尚、押さえ部１１は、太陽光発電パネルＴの周縁の形状に合わせればよい。図６の太陽光発電パネルＴのように、周縁の下位または上位に鈎状の部分がある場合には、後述する図４（ウ）のように、そこに押さえ部１１をかぶせるようにはめることもできる。また、図１のようにすることも可能である。
【００２１】
続いて、軒側カバー２が固定具１で固定された場合の周縁構造について説明する。
まず、鉛直方向の上または下に動こうとするような力に対して、下係止部１５または上係止部１４で押さえることができる。
軒側カバー２が、支持材３に沿って軒先側に向かって滑ろうとするような場合にも、固定具１によって阻止することができる。
さらに、軒側カバー２に対して、固定具１の下係止部１５を支点としてころぶような力が働く場合には、下係止部１５が下係合部２５を押さえる力に加え、上係止部１４によって上係合部２４の動きを阻止することができる。
逆に、下係止部１５を支点として被覆部２６が起き上がるように回転しようとするような動きをしたとしても、上係止部１４によって上係合部２４の動きを阻止できる。
このように、各方向への力に対して、複数の係止部１４・１５と係合部２４・２５の組み合わせによって押さえることができる。
【実施例２】
【００２２】
図３（ア）は、本願の実施例２を示している。
図３（ア）の固定具１と軒側カバー２は、次のような構成になっている。それぞれについて、実施例１と異なる点について説明する。
固定具１の上係止部１４と下係止部１５とは、連結部１３から延出されて鈎形に形成されている。
この固定具１と組み合わせる軒側カバー２は、側面部２３から延出されて上向きの鈎形に形成されて、固定具１の上係止部１４と組み合わせられる上係合部２４を有している。  また、固定具１の下係止部１５と組み合わせられる下係合部２５が形成されている。
そして、軒側カバー２の上係合部２４と固定具１の上係止部１４とが嵌り合い、軒側カバー２の下係合部２５と固定具１の下係止部１５が嵌り合う。
【実施例３】
【００２３】
図３（イ）は、本願の実施例３を示している。図３（イ）の固定具１と軒側カバー２について、実施例２と異なる点について説明する。
軒側カバー２の上係合部２４に対して、固定具１の上係止部１４が上からかぶさるようにして嵌り合う。そして、軒側カバー２の下係合部２５と固定具１の下係止部１５が嵌り合う。
【実施例４】
【００２４】
図３（ウ）は、本願の実施例４を示している。
図３（ウ）の固定具１と軒側カバー２は、次のような構成になっている。それぞれの特徴について説明する。
固定具１の上係止部１４は、連結部１３から上向きに延出されてから、下向きに折り返すように延出されて形成されている。その上係止部１４と組み合わせられる軒側カバー２の上係合部２４は、上係止部１４の折り返し箇所に嵌り合う形状に、側面部２３から延出されている。
固定具１の下係止部１５は、連結部１３から下向きに延出されて形成されている。その下係止部１５と組み合わせられる軒側カバー２の下係合部２５は、側面部２３の下端縁から上向きに折り返すように延出されて形成されている。
本実施例の場合にも、軒側カバー２の上係合部２４と固定具１の上係止部１４とが嵌り合い、軒側カバー２の下係合部２５と固定具１の下係止部１５が嵌り合う。
本実施例の場合には、上係合部２４の下面と、固定具１の連結部１３からの折り曲げ箇所とが接している。従って、軒側カバー２に対して、固定具１が摺動可能となっている。
【実施例５】
【００２５】
図４（ア）は、本願の実施例５を示している。
本実施例の場合には、固定具１の上係止部１４と下係止部１５とは、連結部１３から延出されていて、端縁が膨出している。
この固定具１と組み合わせる軒側カバー２は、側面部２３から延出された上係合部２４と下係合部２５を有している。上係合部２４と下係合部２５は、端縁が膨出している。
そして、軒側カバー２の上係合部２４と固定具１の上係止部１４とが嵌り合い、軒側カバー２の下係合部２５と固定具１の下係止部１５が嵌り合う。
本実施例の場合には、上係合部２４と下係合部２５に向かって固定具１を押すことで、上係止部１４と下係止部１５とを嵌めることができる。
このようにして嵌めたあとで、やり直す場合には、軒側カバー２の長さ方向から摺動させて外すとよい。こうすることで、軒側カバー２と固定具１とが変形するのを防げる。従って、軒側カバー２の長さ方向から、固定具１を嵌めて、再び位置決めできる。
【実施例６】
【００２６】
図４（イ）は、本願の実施例６を示している。
本実施例について、実施例５と異なる点を説明する。
本実施例の場合には、軒側カバー２の側面部２３を内側方向に突出させて、中央係合部２７を形成している。この中央係合部２７は、固定具１の中央係止部１７・１７と嵌り合う形状をしている。
一方、固定具１は、中央係合部２７と嵌り合う中央係止部１７・１７を形成している。この中央係合部２７と中央係止部１７・１７だけでも、複数の係合部と係止部となっている。
中央係合部２７と中央係止部１７・１７とは、実施例５同様の嵌め方及び外し方をすることができる。
また、本実施例の固定具１の場合には、連結部１３から下向きに延出された端縁が下係止部１５となっている。そして、その下係止部１５と、軒側カバー２の底面から延出されて形成された下係合部２５とが組み合わせられる。
【実施例７】
【００２７】
図４（ウ）は、太陽光発電パネルＴの周縁の形状が異なる場合を示している。そして、そこに組み合わせる固定具１は、それに合わせた形状になっている。
これまで述べた固定具１において、固定具１の一側である側面部２３と、他側である押さえ部１１とを連結する連結部１３は、板状のアームのような形状であった。しかし、本実施例の場合には、それらとは異なる連結部１３となっている。
また、本実施例の場合には、太陽光発電パネルＴの周縁が、底面から鈎形に延出された形状をしている。そこで、押さえ部１１は、その鈎形の周縁にかぶせるために、下向きの鈎形状となっている。
【００２８】
図３（ア）（イ）（ウ）及び図４（ア）（イ）（ウ）で述べた実施例の場合にも、実施例１と同様の効果が得られる。
軒側カバー２が複数の係合部２４・２５・２７を有していて、それらのいずれかの箇所と嵌り合う係止部１４・１５・１７が、固定具１に形成されているからである。
複数の係合部２４・２５・２７と複数の係止部１４・１５・１７の組み合わせによって、次のような効果が得られればよい。
まず、あらかじめ固定具１と軒側カバー２とを組み合わせたときに、軒側カバー２を押さえなくても済むように嵌り合っていればよい。軒側カバー２を押さえなくて済むならば、少なくとも一カ所が嵌り合っていればよい。
また、複数の係止部１４・１５・１７を有する固定具１によって、軒側カバー２の複数の係合部２４・２５・２７が押さえられればよい。
各実施例は、軒側カバー２で説明した。しかし、太陽光発電パネルＴが、切妻屋根の片面の中央部に設置されるような場合には、固定具１と周縁カバーの形状を変更して、ケラバ側や棟側に応用してもよい。
【００２９】
これまで述べた実施例のほかに、次のようなことも考えられる。
たとえば、被覆部２６の形状は、図６のような円弧状でもよい。
また、複数の係止部によって強度が得られるので、側面部２３と固定具１とは、必ずしも平行な面でなくてもよい。
さらに、下係合部２５の折り曲げ部分をわずかな円弧状にしたり、下係止部１５に押圧される辺のみを形成したりする例も考えられる。この場合、上係合部２４を上係止部１４に引っ掛けて組み合わせておき、下係止部１５に対して下係合部２５を滑らせるように回動させて取り付けることもできる。
そのうえ、固定具１は、連結部１３からの折り曲げ方向を変えて上係止部１４と下係止部とを形成した、１枚の金属板の折り曲げ加工によるものでもよい。
尚、軒側カバー２と固定具１の立面部１０との間に、キャップをはめてもよい。
【符号の説明】
【００３０】
１    固定具  
１０  立面部
１１  押さえ部
１３  連結部
１４  上係止部
１５  下係止部
１７  中央係止部
２    軒側カバー
２３  側面部
２４  上係合部
２５  下係合部
２６  被覆部
２７  中央係合部
３    支持材
３８  載置部
３９  底面部
４    取り付け金具
４１  固定ピース
４２  差し込みピース
５    台座
６    位置決め金具
９    押さえ具
Ｓ    止着具
Ｓ１  ボルト
Ｓ２  ナット
Ｔ    太陽光発電パネル
【図１】
0005488586.tif 000002
【図２】
0005488586.tif 000003
【図３】
0005488586.tif 000004
【図４】
0005488586.tif 000005
【図５】
0005488586.tif 000006
【図６】
0005488586.tif 000007
【図７】
0005488586.tif 000008